(57)【要約】【課題】測定試料を用いて電気泳動を行う前に、電気泳動媒体によって満たされたキャピラリーが電気泳動のために適切に用いられるかどうかを判定する方法を提供すること。【解決手段】本発明は、電気泳動媒体によって満たされたキャピラリーが電気泳動のために適切に用いられるかどうかを判定する方法であって、（ａ）キャピラリーの一端が浸漬された第１電解液に接する第１電極および前記キャピラリーの他端が浸漬された第２電解液に接する第２電極の間に交流電圧を印加し、前記キャピラリーの内部を満たしている前記電気泳動媒体の導電率を測定する工程、および（ｂ）前記導電率が４．２ｍＳ／ｃｍを超える場合には、前記電気泳動媒体によって満たされたキャピラリーは、前記キャピラリーを用いた電気泳動のために適切に用いられないと判定される工程、を具備する、方法である。【選択図】図１
2017201286.tif 000002
【特許請求の範囲】
【請求項１】
電気泳動媒体によって満たされたキャピラリーが電気泳動のために適切に用いられるかどうかを判定する方法であって、
（ａ）  キャピラリーの一端が浸漬された第１電解液に接する第１電極および前記キャピラリーの他端が浸漬された第２電解液に接する第２電極の間に交流電圧を印加し、前記キャピラリーの内部を満たしている前記電気泳動媒体の導電率を測定する工程、および
（ｂ）  前記導電率が４．２ｍＳ／ｃｍを超える場合には、前記電気泳動媒体によって満たされたキャピラリーは、前記キャピラリーを用いた電気泳動のために適切に用いられないと判定される工程、
を具備する方法。
【請求項２】
請求項１に記載の方法であって、
前記第１電極および前記第２電極が平板の形状を有する、方法。
【請求項３】
請求項１に記載の方法であって、
前記電気泳動媒体、前記第１電解液、および前記第２電解液が、同一の液体である、方法。
【発明の詳細な説明】
【技術分野】
【０００１】
本発明は、電気泳動媒体によって満たされたキャピラリーが電気泳動のために適切に用いられるかどうかを判定する方法に関する。
【背景技術】
【０００２】
キャピラリー電気泳動方法では、まず、緩衝液のような電気泳動媒体が充填されたキャピラリーに測定試料が注入される。次いで、電気泳動媒体および複数の測定試料に高電圧が印加され、複数の測定試料の電荷の差により複数の測定試料を分離する。
【０００３】
特許文献１に開示されているキャピラリー電気泳動装置では、緩衝液のような電気泳動媒体が充填されたキャピラリーに、測定試料が圧力を印加されながら注入される。次いで、キャピラリーの両端に直流電圧が印加される。キャピラリー電気泳動装置の動作は、シーケンサにより制御されている。
【０００４】
従来のキャピラリー電気泳動装置では、電気泳動媒体によって満たされたキャピラリーが電気泳動のために適切に用いられるかどうかを判定するために、試行錯誤を繰り返すことが必要とされた。不適切な電気泳動媒体がキャピラリーに充填された場合、異常なベースラインが発生する。異常なベースラインは平坦ではない。例えば、異常なベースラインは、凸部および凹部を有する。そのため、測定試料由来のピークが検出できない。
【０００５】
測定試料を用いて電気泳動を行う前に、電気泳動媒体がキャピラリーに適切に充填されたかどうかを判定することは難しい。従って、不適切な電気泳動媒体がキャピラリーに充填された場合、測定試料が浪費されることになる。
【先行技術文献】
【特許文献】
【０００６】
【特許文献１】特開平２−２６９９５３号広報
【発明の概要】
【発明が解決しようとする課題】
【０００７】
本発明の目的は、測定試料を用いて電気泳動を行う前に、電気泳動媒体によって満たされたキャピラリーが電気泳動のために適切に用いられるかどうかを判定する方法を提供することにある。
【課題を解決するための手段】
【０００８】
本発明は、電気泳動媒体によって満たされたキャピラリーが電気泳動のために適切に用いられるかどうかを判定する方法であって、
（ａ）  キャピラリーの一端が浸漬された第１電解液に接する第１電極および前記キャピラリーの他端が浸漬された第２電解液に接する第２電極の間に交流電圧を印加し、前記キャピラリーの内部を満たしている前記電気泳動媒体の導電率を測定する工程、および
（ｂ）  前記導電率が４．２ｍＳ／ｃｍを超える場合には、前記電気泳動媒体によって満たされたキャピラリーは、前記キャピラリーを用いた電気泳動のために適切に用いられないと判定される工程、
を具備する、方法である。
【発明の効果】
【０００９】
本発明は、測定試料を用いて電気泳動を行う前に、電気泳動媒体によって満たされたキャピラリーが電気泳動のために適切に用いられるかどうかを判定する方法を提供する。
【図面の簡単な説明】
【００１０】
【図１】図１は、実施形態によるキャピラリー電気泳動装置１００の模式図を示す。
【図２Ａ】図２Ａは、実施例１において得られたエレクトロフェログラムを示す。
【図２Ｂ】図２Ｂは、実施例２において得られたエレクトロフェログラムを示す。
【図２Ｃ】図２Ｃは、実施例３において得られたエレクトロフェログラムを示す。
【図２Ｄ】図２Ｄは、実施例４において得られたエレクトロフェログラムを示す。
【図２Ｅ】図２Ｅは、実施例５において得られたエレクトロフェログラムを示す。
【図２Ｆ】図２Ｆは、比較例１において得られたエレクトロフェログラムを示す。
【図２Ｇ】図２Ｇは、比較例２において得られたエレクトロフェログラムを示す。
【図２Ｈ】図２Ｈは、比較例３において得られたエレクトロフェログラムを示す。
【図２Ｉ】図２Ｉは、比較例４において得られたエレクトロフェログラムを示す。
【図２Ｊ】図２Ｊは、比較例５において得られたエレクトロフェログラムを示す。
【図２Ｋ】図２Ｋは、比較例６において得られたエレクトロフェログラムを示す。
【図２Ｌ】図２Ｌは、比較例７において得られたエレクトロフェログラムを示す。
【発明を実施するための形態】
【００１１】
以下、本発明の実施形態が図面を参照しながら詳細に説明される。
【００１２】
（キャピラリー電気泳動装置）
図１は、実施形態によるキャピラリー電気泳動装置１００の模式図を示す。キャピラリー電気泳動装置１００は、電源１０１、制御装置１０２、キャピラリー１０３、第１電極１０４、第２電極１０５、第１容器１０６、および第２容器１０７を具備している。
【００１３】
（第１容器１０６および第１電極１０４）
第１容器１０６は第１電解液２０１を含有している。キャピラリー１０３の一端１０３ａは、第１電解液２０１に浸漬されている。第１容器１０６は、第１電極１０４を具備している。第１電極１０４は第１電解液２０１に接している。第１電極１０４は電源１０１に電気的に接続されている。第１電極１０４の材料の例は、チタン、クロム、タングステン、銅、アルミニウム、白金、又はそれらの合金である。第１電極１０４は、平板の形状を有することが望ましい。第１容器１０６の材料は、電気泳動媒体および第１電解液２０１と反応しない限り、特に限定されない。第１容器１０６の材料の例は、ガラスまたは樹脂（例えば、ポリスチレンまたはポリメチルメタクリレート）である。
【００１４】
（第２容器１０７および第２電極１０７）
同様に、第２容器１０７は第２電解液２０２を含有している。キャピラリー１０３の他端１０３ｂは、第２電解液２０２に浸漬されている。第２容器１０７は、第２電極１０５を具備している。第２電極１０５は第２電解液２０２に接している。第２電極１０５は電源１０１に電気的に接続されている。第２電極１０５の材料および形状の例は、第１電極１０４のそれらと同様である。第２容器１０７の材料の例もまた、第１容器１０６のそれと同様である。
【００１５】
（電源１０１）
電源１０１は、電気的には、第１電極１０４および第２電極１０５の間に配置されている。電源１０１を用いて、第１電極１０４および第２電極１０５の間に交流電圧または直流電圧が印加される。交流電圧は、２００ヘルツ以上３０００ヘルツ以下の周波数および２０００ボルト以上３００００ボルト以下の電圧を有し得る。直流電圧は、２０００ボルト以上３００００ボルト以下の電圧を有し得る。
【００１６】
（キャピラリー１０３）
キャピラリー１０３には電気泳動媒体が充填されている。電気泳動媒体の材料は、第１電解液２０１および第２電解液２０２の材料と同一であることが望ましい。一例として、１０ｍＭの濃度を有する炭酸ナトリウム水溶液がキャピラリー１０３に充填されている場合には、第１電解液２０１および第２電解液２０２もまた、１０ｍＭの濃度を有する炭酸ナトリウム水溶液である。
【００１７】
キャピラリー１０３に充填される電気泳動媒体の例は、緩衝液、水溶液、または純水である。緩衝液の例は、ホウ酸バッファー、リン酸バッファー、またはトリス塩酸バッファーである。水溶液は、カリウムイオン、ナトリウムイオン、マグネシウムイオン、塩化物イオン、または炭酸イオンを含有し得る。水溶液の他の例は、グリシンを含む水溶液である。
【００１８】
２種類以上の電気泳動媒体の混合物がキャピラリー１０３に充填され得る。この場合、第１電解液２０１および第２電解液２０２もまた、同一の混合物から構成される。
【００１９】
キャピラリー１０３の材料は、電気泳動媒体および測定物質と反応しない限り、特に限定されない。キャピラリー１０３の材料の例は、シリカ、プラスチック、シリコーン、または金属である。
【００２０】
（制御装置１０２）
制御装置１０２は、交流電流計を内蔵している。制御装置１０２の詳細は、後述される。
【００２１】
（判定方法）
以下、上記のようなキャピラリー電気泳動装置１００において、電気泳動媒体によって満たされたキャピラリー１０３が電気泳動のために適切に用いられるかどうかを判定する方法が説明される。
【００２２】
まず、キャピラリー１０３に電気泳動媒体が充填される。具体的には、第１容器１０６の内部に電気泳動媒体を供給する。第２容器１０７の内部にも、電気泳動媒体を供給する。次に、キャピラリー１０３の一端１０３ａが、第１容器１０６に含有される電気泳動媒体に浸漬される。電気泳動媒体は、陰圧によりキャピラリー１０３の内部に吸引される。このようにして、キャピラリー１０３の内部に電気泳動媒体が充填される。ポンプもまた、用いられ得る。キャピラリー１０３の他端１０３ｂが、第２容器１０７に含有される電気泳動媒体に浸漬される。必要であれば、第１容器１０６および第２容器１０７に含有される電気泳動媒体が、他の電解液に置換される。以下、第１容器１０６および第２容器１０７は、それぞれ第１電解質２０１および第２電解質２０２を含有することとする。従って、一端１０３ａおよび他端１０３ｂは、それぞれ、第１電解液２０１および第２電解液２０２に接している。
【００２３】
第１電極１０４および第２電極１０５が、それぞれ、第１電解質２０１および第２電解質２０２に接するように第１容器１０６および第２容器１０７の内部に配置される。
【００２４】
次に、電源１０１を用いて、第１電極１０４および第２電極１０５の間に交流電圧が印加される。印加される交流電圧は、１ボルト以上１０ボルト以下であることが望ましい。制御装置１０２に含まれる交流電圧計により、回路の電流が測定される。制御装置１０２は、電圧値および電流値から、キャピラリー１０３に充填された電気泳動媒体の抵抗値を算出する。さらに、制御装置１０２は、以下の数式（Ｉ）に基づいて、キャピラリー１０３に充填された電気泳動媒体の導電率を算出する。導電率の単位はＳ／ｍである。ここで、Ｓはジーメンスを表し、かつｍはメートルを表す。
（導電率）＝（第１電極１０４および第２電極１０５の間の電気的距離）／（（キャピラリー１０３の断面積）・（第１電極１０４および第２電極１０５の間の抵抗値））    （Ｉ）
【００２５】
第１電極１０４および第２電極１０５の間の電気的距離は、通常、キャピラリー１０３の長さに等しい。正確な電気的距離は、以下の数式（ＩＩ）により表される。
（電気的距離）＝（キャピラリー１０３の長さ）＋（一端１０３ａおよび第１電極１０４の間の最短距離）＋（他端１０３ｂおよび第２電極１０５の間の最短距離）    （ＩＩ）
【００２６】
次に、導電率が４．２ｍＳ／ｃｍを超えるかどうかが判定される。導電率が４．２ｍＳ／ｃｍを超える場合には、キャピラリー１０３は電気泳動のために適切に用いられないと判定される。一方、導電率が４．２ｍＳ／ｃｍ以下である場合には、キャピラリー１０３は電気泳動のために適切に用いられると判定される。望ましくは、制御装置１０２が、導電率が４．２ｍＳ／ｃｍを超えるかどうかを判定する。キャピラリー電気泳動装置１００のユーザが、導電率が４．２ｍＳ／ｃｍを超えるかどうかを判定し得る。
【００２７】
実施例において実証されるように、導電率が４．２ｍＳ／ｃｍ以下である場合にはエレクトロフェログラムのベースラインが安定である。従って、４．２ｍＳ／ｃｍ以下の導電率を有する電気泳動媒体によって充填されたキャピラリーを用いて、適切な電気泳動がなされる。
【００２８】
一方、比較例において実証されるように、導電率が４．２ｍＳ／ｃｍを超える場合には、エレクトロフェログラムのベースラインが不安定である。従って、４．２ｍＳ／ｃｍを超える導電率を有する電気泳動媒体によって充填されたキャピラリーを用いた場合には、電気泳動は適切にはなされない。
【００２９】
キャピラリー１０３は電気泳動のために適切に用いられないと判定された場合には、制御装置１０２は、ユーザにその旨を示す。具体的には、制御装置１０２に接続された表示装置（図示せず）に、キャピラリー１０３は電気泳動のために適切に用いられないことを表示する。制御装置１０２は、制御装置１０２に接続されたスピーカー（図示せず）を介して、ユーザにその旨を伝えても良い。
【００３０】
本実施形態においては、このように、測定物質がキャピラリー１０３に注入される前に、キャピラリー１０３が電気泳動のために適切に用いられるかどうかが判定される。このようにして、測定試料の浪費が抑制される。
【００３１】
キャピラリー１０３は電気泳動のために適切に用いられると判断された後には、キャピラリー１０３を用いて電気泳動が行われる。言い換えれば、キャピラリー１０３が電気泳動のために適切に用いられると判定された場合には、キャピラリーは電気泳動のために用いられる。具体的には、複数の測定物質を含有する液体（望ましくは水溶液）が第１容器１０６に供給される。次に、第１電極１０４および第２電極１０５の間に直流電圧が印加され、キャピラリー１０３の内部を通って第２容器１０７に向けて測定物質は移動する。測定物質の電荷および粒径の差に依存して、キャピラリー１０３の内部を移動する測定物質の各速度は異なるため、測定物質が分離される。より大きな電荷およびより小さい粒径を有する測定物質は、速やかにキャピラリー１０３の内部を通って第２容器１０７に到達する一方で、より小さな電荷およびより大きな粒径を有する測定物質は、ゆっくりとキャピラリー１０３の内部を移動する。このようにして、キャピラリー１０３を用いた電気泳動により、測定物質が分離される。
【００３２】
測定物質は、キャピラリー１０３の内部を通過する限り、特に限定されない。測定物質の例は、核酸、タンパク質、ウイルス、イオン性化学物質、または非イオン性化学物質である。
【００３３】
制御装置１０２は、パーソナルコンピュータのようなコンピュータであり得る。あるいは、制御装置１０２は、半導体装置、半導体集積回路（ＩＣ）、又はＬＳＩを含む一つ又は一つ以上複数の電子回路である。ＬＳＩ又はＩＣは、一つのチップに集積されてもよいし、複数のチップを組み合わせて構成されてもよい。例えば、記憶素子以外の機能ブロックは、一つのチップに集積されてもよい。ここでは、ＬＳＩやＩＣと呼んでいるが、集積の度合いによって呼び方が変わり、システムＬＳＩ、ＶＬＳＩ、若しくはＵＬＳＩと呼ばれるかもしれないものであってもよい。ＬＳＩの製造後にプログラムされる、Field Programmable Gate Array (FPGA)、又はＬＳＩ内部の接合関係の再構成又はＬＳＩ内部の回路区画のセットアップができるreconfigurable logic deviceも同じ目的で使うことができる。
【００３４】
さらに、制御装置１０２の、全部又は一部の機能又は操作は、ソフトウエア処理によって実行することが可能である。この場合、ソフトウエアは一つ又は一つ以上複数のＲＯＭ、光学ディスク、ハードディスクドライブ、などの非一時的記録媒体に記録され、ソフトウエアが、コンピュータのような処理装置（processor）によって実行された場合ときに、ソフトウエアは、そのソフトウエア内で特定された機能を、処理装置（processor）および周辺装置によって実行される。システム又は装置は、ソフトウエアが記録されている一つ又は複数一つ以上の非一時的記録媒体、処理装置（processor）、及び必要とされるハードウエアデバイス、例えばインターフェースを備えていても良い。
【００３５】
（実施例）
以下の実施例を参照しながら、本発明がより詳細に説明される。
【００３６】
（実施例１）
図１に示されるキャピラリー電気泳動装置１００（BECKMAN COULTER社より入手、商品名：PA800 plus）が用意された。キャピラリー１０３の詳細が、以下の表１に示される。
【００３７】
【表１】
2017201286.tif 000003
┌───────┬───────────────────────────┐
内径            ５０ナノメートル                                        │
├───────┼───────────────────────────┤
全長            ４８．５センチメートル                                  │
├───────┼───────────────────────────┤
材質            溶融石英                                                │
├───────┼───────────────────────────┤
電気泳動媒体    以下の物質を含有する緩衝液Ａ                            │
│              ２０ｍＭ  Ｔｒｉｓ−ＨＣｌ（ｐＨ７．５）、              │
│              ５ｍＭ  ＫＣｌ、および                                  │
│              １ｍＭ  ＭｇＣｌ2                                      │
└───────┴───────────────────────────┘
【００３８】
まず、０．１Ｍの濃度を有する水酸化ナトリウム水溶液を利用して、キャピラリー１０３の内部が洗浄された。より詳細には、この水酸化ナトリウム水溶液が、１３８ｋＰａの圧力でキャピラリー１０３の内部に２分間、流されることにより、キャピラリー１０３の内部を洗浄した。
【００３９】
次に、上記の電気泳動媒体を利用して、上記と同様にキャピラリー１０３の内部が洗浄された。第１容器１０６および第２容器１０７にそれぞれ第１電解液２０１および第２電解液２０２が供給された。実施例１においては、第１電解液２０１および第２電解液２０２に含まれる物質は、上記の電気泳動媒体と同一であった。
【００４０】
このようにして洗浄されたキャピラリー１０３の内部に、電気泳動媒体が、３．４５ｋＰａの陰圧下で７．８秒間の間、供給された。このようにして、キャピラリー１０３の内部に電気泳動媒体が充填された。
【００４１】
第１電極１０４および第２電極１０５が、それぞれ第１電解液２０１および第２電解液２０２に接するように第１容器１０６および第２容器１０７の内部に配置された。
【００４２】
次に、電源１０１を用いて、第１電極１０４および第２電極１０５の間に６Ｖの交流電圧が印加された。制御装置１０２に含まれる交流電流計により、回路の電流値が測定された。数式（Ｉ）に基づき導電率が計算された。
【００４３】
さらに、電源１０１を用いて第１電極１０４および第２電極１０５の間に３０ｋＶの直流電圧が印加されながら、エレクトロフェログラムを得た。図２Ａは、実施例１によるエレクトロフェログラムを示す。
【００４４】
（実施例２〜実施例５および比較例１〜比較例７）
以下の実施例２〜実施例５および比較例１〜比較例７においては、表２、表３、および表４に示される電気泳動媒体が用いられたこと以外は、実施例１と同様の実験が行われた。測定された導電率もまた、表２、表３、および表４に示される。
【００４５】
【表２】
2017201286.tif 000004
┌────┬───────────────────┬────────┬─────
│        電気泳動媒体                            │導電率          │エレクトロ
│        │                                      │単位：ｍＳ／ｃｍ│フェロ
│        │                                      │                │グラム
├────┼───────────────────┼────────┼─────
実施例１  以下の物質を含有する緩衝液Ａ            │２．２０        │図２Ａ
│        ２０ｍＭ  Ｔｒｉｓ−ＨＣｌ（ｐＨ７．５）│                │      
│        、                                      │                │      
│        ５ｍＭ  ＫＣｌ、および                  │                │      
│        １ｍＭ  ＭｇＣｌ2                      │                │      
├────┼───────────────────┼────────┼─────
実施例２  以下の物質を含有する緩衝液Ｂ            │１．１２        │図２Ｂ
│        ２５ｍＭ  Ｔｒｉｓ−ＨＣｌ（ｐＨ７．５）│                │      
│        、                                      │                │      
│        １９２ｍＭ  Ｇｌｙｃｉｎｅ、および      │                │      
│        ５ｍＭ  ＫＨ2ＰＯ4                      │                │    
├────┼───────────────────┼────────┼─────
実施例３  以下の物質を含有する緩衝液Ｃ            │１．４０        │図２Ｃ
│        １００ｍＭ  Ｎａ2Ｐ4Ｏ7・１０Ｈ2Ｏ      │                │  
├────┼───────────────────┼────────┼─────
実施例４  以下の物質を含有する緩衝液Ｄ            │３．００        │図２Ｄ
│        １０ｍＭ  Ｎａ4Ｐ2Ｏ7・１０Ｈ2Ｏ        │                │  
├────┼───────────────────┼────────┼─────
実施例５  以下の物質を含有する緩衝液Ｅ            │２．２０        │図２Ｅ
│        １０ｍＭ  Ｎａ2ＣＯ3                    │                │    
└────┴───────────────────┴────────┴─────
【００４６】
【表３】
2017201286.tif 000005
┌────┬───────────────────┬────────┬─────
│        電気泳動媒体                            │導電率          │エレクトロ
│        │                                      │単位：ｍＳ／ｃｍ│フェロ
│        │                                      │                │グラム
├────┼───────────────────┼────────┼─────
比較例１  以下の物質を含有する緩衝液Ｆ            │１９．４        │図２Ｆ
│        ２０ｍＭ  Ｔｒｉｓ−ＨＣｌ（ｐＨ７．４）│                │      
│        、                                      │                │      
│        １４０ｍＭ  ＮａＣｌ、                  │                │      
│        ５ｍＭ  ＫＣｌ、および                  │                │      
│        ５ｍＭ  ＭｇＣｌ2                      │                │      
├────┼───────────────────┼────────┼─────
比較例２  以下の物質を含有する緩衝液Ｂ            │１５．２        │図２Ｇ
│        ２０ｍＭ  Ｔｒｉｓ−ＨＣｌ（ｐＨ７．５）│                │      
│        、                                      │                │      
│        １４０ｍＭ  ＮａＣｌ、                  │                │      
│        ５ｍＭ  ＫＣｌ、および                  │                │      
│        １ｍＭ  ＭｇＣｌ2                      │                │      
├────┼───────────────────┼────────┼─────
比較例３  以下の物質を含有する緩衝液Ｃ            │１３．７        │図２Ｈ
│        １４０ｍＭ  ＮａＣｌ、                  │                │      
│        ５ｍＭ  ＫＣｌ、および                  │                │      
│        １ｍＭ  ＭｇＣｌ2                      │                │      
├────┼───────────────────┼────────┼─────
比較例４  以下の物質を含有する緩衝液Ｄ            │１４．２        │図２Ｉ
│        ２０ｍＭ  Ｔｒｉｓ−ＨＣｌ（ｐＨ７．５）│                │      
│        、                                      │                │      
│        １４０ｍＭ  ＮａＣｌ、および            │                │      
│        １ｍＭ  ＭｇＣｌ2                      │                │      
├────┼───────────────────┼────────┼─────
比較例５  以下の物質を含有する緩衝液Ｅ            │１４．６        │図２Ｊ
│        ２０ｍＭ  Ｔｒｉｓ−ＨＣｌ（ｐＨ７．５）│                │      
│        、                                      │                │      
│        １４０ｍＭ  ＮａＣｌ、および            │                │      
│        ５ｍＭ  ＫＣｌ                          │                │      
└────┴───────────────────┴────────┴─────
【００４７】
【表４】
2017201286.tif 000006
┌────┬───────────────────┬────────┬─────
│        電気泳動媒体                            │導電率          │エレクトロ
│        │                                      │単位：ｍＳ／ｃｍ│フェロ
│        │                                      │                │グラム
├────┼───────────────────┼────────┼─────
比較例６  以下の物質を含有する緩衝液Ｆ            │１６．４        │図２Ｋ
│        １００ｍＭ  Ｎａ4Ｐ2Ｏ7・１０Ｈ2Ｏ      │                │  
├────┼───────────────────┼────────┼─────
比較例７  以下の物質を含有する緩衝液Ｇ            │１３．２        │図２Ｌ
│        １００ｍＭ  Ｎａ2ＣＯ3                  │                │    
└────┴───────────────────┴────────┴─────
【００４８】
表２および図２Ａ〜図２Ｅから明らかなように、導電率が４．２ｍＳ／ｃｍ以下である場合には、エレクトロフェログラムのベースラインが安定である。言い換えれば、ベースラインは、実質的に平坦である。そのため、このようなキャピラリー１０３を用いて適切に電気泳動が行われる。
【００４９】
一方、表３、表４、および図２Ｆ〜図２Ｌから明らかなように、導電率が４．２ｍＳ／ｃｍを超える場合には、エレクトロフェログラムのベースラインは不安定である。言い換えれば、ベースラインは平坦ではなく、かつ凸部および凹部を有する。そのため、このようなキャピラリー１０３が用いられた場合、適切な電気泳動は行われない。
【産業上の利用可能性】
【００５０】
本発明による方法は、電気泳動媒体によって満たされたキャピラリーを用いて電気泳動を適切に行えるかどうかを判定するために、核酸、タンパク質、ウイルス、イオン性化学物質、または非イオン性化学物質を分離するための電気泳動を行う前に実行される。
【符号の説明】
【００５１】
１００  キャピラリー電気泳動装置
１０１  電源
１０２  制御装置
１０３  キャピラリー
１０３ａ  一端
１０３ｂ  他端
１０４  第１電極
１０５  第２電極
１０６  第１容器
１０７  第２容器
１０８  サンプル
２０１  第１電解液
２０２  第２電解液
【図１】
2017201286.tif 000007
【図２Ａ】
2017201286.tif 000008
【図２Ｂ】
2017201286.tif 000009
【図２Ｃ】
2017201286.tif 000010
【図２Ｄ】
2017201286.tif 000011
【図２Ｅ】
2017201286.tif 000012
【図２Ｆ】
2017201286.tif 000013
【図２Ｇ】
2017201286.tif 000014
【図２Ｈ】
2017201286.tif 000015
【図２Ｉ】
2017201286.tif 000016
【図２Ｊ】
2017201286.tif 000017
【図２Ｋ】
2017201286.tif 000018
【図２Ｌ】
2017201286.tif 000019
【手続補正書】
【提出日】平成29年8月31日(2017.8.31)
【手続補正１】
【補正対象書類名】特許請求の範囲
【補正対象項目名】請求項３
【補正方法】変更
【補正の内容】
【請求項３】
請求項１に記載の方法であって、
前記電気泳動媒体、前記第１電解液、および前記第２電解液は、組成が同一の液体である、方法。